(57)【要約】【課題】本発明は駆動の安全性を向上させるためのプラズマディスプレイ装置を提供する。【解決手段】本発明に係るプラズマディスプレイ装置は、互いに平行に配列される複数のデータ電極を含むプラズマディスプレイパネルと、複数のデータ電極で駆動電圧を供給するデータ駆動部を含み、データ駆動部はプラズマディスプレイパネル一側で複数のデータ電極の内で一部と電気的に接続された第１連結部とプラズマディスプレイパネルの他側で一部を除いた残りデータ電極と電気的に接続された第２連結部を含む。【選択図】図１
2007328348.tif 000002
【特許請求の範囲】
【請求項１】
互いに平行に配列される複数のデータ電極を含むプラズマディスプレイパネルと、
前記複数のデータ電極に駆動電圧を供給するデータ駆動部と、を含み、
前記データ駆動部は、前記プラズマディスプレイパネルの一側で前記複数のデータ電極の一部と電気的に接続された第１連結部と、前記プラズマディスプレイパネルの他側で前記複数のデータ電極の一部を除いた残りデータ電極と電気的に接続された第２連結部と、
を含むことを特徴とするプラズマディスプレイ装置。
【請求項２】
前記複数のデータ電極の内、第１データ電極は前記第１連結部と電気的に接続され、前記複数のデータ電極の内、前記第１データ電極と隣接する第２データ電極は前記第２連結部と電気的に接続されていることを特徴とする、請求項１記載のプラズマディスプレイ装置。
【請求項３】
前記第１連結部または前記第２連結部において、前記複数のデータ電極の内、隣り合うデータ電極間の離隔距離は、前記プラズマディスプレイパネル上に配列された複数のデータ電極の内、隣り合うデータ電極間の離隔距離より広いことを特徴とする、請求項２記載のプラズマディスプレイ装置。
【請求項４】
前記複数のデータ電極の内、奇数番目のデータ電極は前記第１連結部と電気的に接続され、前記複数のデータ電極の内、偶数番目データ電極は前記第２連結部と電気的に接続されることを特徴とする、請求項３記載のプラズマディスプレイ装置。
【請求項５】
前記第１連結部及び前記第２連結部は、ＦＰＣ（Ｆｌｅｘｉｂｌｅ Ｐｒｉｎｔｅｄ Ｃｉｒｃｕｉｔ）、ＴＣＰ（Ｔａｐｅ Ｃａｒｒｉｅｒ Ｐａｃｋａｇｅ）またはＣＯＦ（Ｃｈｉｐ ｏｎ Ｆｉｌｍ）の内の何れか一つであることを特徴とする、請求項１記載のプラズマディスプレイ装置。
【請求項６】
前記プラズマディスプレイパネルは５０インチ以下であることを特徴とする、請求項１記載のプラズマディスプレイ装置。
【請求項７】
互いに平行に配列される複数のデータ電極及び前記データ電極と交差する複数のサステイン電極を含むプラズマディスプレイパネルと、
前記プラズマディスプレイパネルの一側で前記複数のデータ電極の一部と電気的に接続された第１連結部と、前記プラズマディスプレイパネルの他側で前記複数のデータ電極の一部を除いた残りデータ電極と電気的に接続された第２連結部と、を含むデータ駆動部と、
前記サステイン電極に駆動電圧を供給するサステイン駆動部と、を含み、
前記複数のサステイン電極は複数のサステイン電極群に分けられることを特徴とするプラズマディスプレイ装置。
【請求項８】
前記複数のサステイン電極は二つのサステイン電極群に分けられることを特徴とする、請求項７記載のプラズマディスプレイ装置。
【請求項９】
前記複数のデータ電極の内、第１データ電極は前記第１連結部と電気的に接続され、前記複数のデータ電極の内、前記第１データ電極と隣接する第２データ電極は前記第２連結部と電気的に接続されることを特徴とする、請求項７記載のプラズマディスプレイ装置。
【請求項１０】
前記第１連結部または前記第２連結部において、前記複数のデータ電極の内、隣り合うデータ電極間の離隔距離は、前記プラズマディスプレイパネル上に配列された複数のデータ電極の内、隣り合うデータ電極間の離隔距離より広いことを特徴とする、請求項９記載のプラズマディスプレイ装置。
【請求項１１】
前記複数のデータ電極の内、奇数番目のデータ電極は前記第１連結部と電気的に接続され、前記複数のデータ電極の内、偶数番目のデータ電極は前記第２連結部と電気的に接続されることを特徴とする、請求項１０記載のプラズマディスプレイ装置。
【請求項１２】
前記第１連結部及び前記第２連結部は、ＦＰＣ（Ｆｌｅｘｉｂｌｅ Ｐｒｉｎｔｅｄ Ｃｉｒｃｕｉｔ）、ＴＣＰ（Ｔａｐｅ Ｃａｒｒｉｅｒ Ｐａｃｋａｇｅ）またはＣＯＦ（Ｃｈｉｐ ｏｎ Ｆｉｌｍ）の内の何れか一つであることを特徴とする、請求項７記載のプラズマディスプレイ装置。
【請求項１３】
前記プラズマディスプレイパネルは５０インチ以下であることを特徴とする、請求項７記載のプラズマディスプレイ装置。
【請求項１４】
前記複数のサステイン電極群の内、第１サステイン電極群に対応するスキャン電極がスキャンされる期間中、前記第１サステイン電極群には第１正極性電圧が印加されて、前記複数のサステイン電極群の内、第２サステイン電極群には前記第１正極性電圧レベルより低い第２正極性電圧が印加されることを特徴とする、請求項８記載のプラズマディスプレイ装置。
【請求項１５】
前記第２サステイン電極群に対応するスキャン電極は、前記第１サステイン電極群に対応するスキャン電極よりスキャン順序が後であることを特徴とする、請求項１４記載のプラズマディスプレイ装置。
【請求項１６】
前記プラズマディスプレイパネルは前記サステイン電極と平行に配列される複数のスキャン電極をさらに含み、
前記複数のスキャン電極に印加されるセットダウンパルスは、第１電圧レベルから第２電圧レベルに立ち下がる第１セットダウンパルス及び第２電圧レベルから第３電圧レベルに立ち下がる第２セットダウンパルスを含み、
前記複数のスキャン電極を複数のスキャン電極群に分けて、第１スキャン電極群に第１セットダウンパルス及び第２セットダウンパルスを連続して供給して、前記第１スキャン電極群よりスキャン順序が後である第２スキャン電極群には、前記第１セットダウンパルス供給後、前記第２電圧レベルを所定時間維持した後、第２セットダウンパルスを供給することを特徴とする、請求項１４記載のプラズマディスプレイ装置。
【請求項１７】
前記第１電圧レベルは正の電圧レベルであり、前記第２電圧レベルはグラウンドレベルであり、前記第３電圧レベルは負の電圧レベルであることを特徴とする、請求項１６記載のプラズマディスプレイ装置。
【請求項１８】
前記第１電圧レベルは正の電圧レベルであり、前記第２電圧レベルは負の電圧レベルであり、前記第３電圧レベルは負の電圧レベルであることを特徴とする、請求項１６記載のプラズマディスプレイ装置。
【発明の詳細な説明】
【技術分野】
【０００１】
本発明はプラズマディスプレイ装置に関する。
【背景技術】
【０００２】
一般的にプラズマディスプレイパネルは前面パネルと背面パネルの間に形成された隔壁が一つの単位放電セルを区切ることで、各セル内にはネオン（Ｎｅ）、ヘリウム（Ｈｅ）またはネオン及びヘリウムの混合気体（Ｎｅ＋Ｈｅ）のような主放電気体と少量のキセノンを含む不活性ガスが充填されている。前述の単位放電セルは複数個が集まって一つの画素（Ｐｉｘｅｌ）を成す。例えば、赤色（Ｒｅｄ、Ｒ）セル、緑色（Ｇｒｅｅｎ、Ｇ）セル、青色（Ｂｌｕｅ、Ｂ）セルが集まって一つのピクセルを成すのである。
【０００３】
このような単位放電セルに高周波電圧が印加されて放電される時、不活性ガスは真空紫外線（Ｖａｃｕｕｍ Ｕｌｔｒａ Ｖｉｏｌｅｔ ｒａｙｓ）を発生して隔壁の間に形成された蛍光体を発光させて画像が具現される。
【０００４】
プラズマディスプレイパネルは複数の電極、例えばスキャン電極（Ｙ）、サステイン電極（Ｚ）、データ電極（Ｘ）を含み、このようなプラズマディスプレイパネルの電極に駆動電圧を供給するための駆動部がそれぞれの電極に接続される。
【０００５】
各駆動部はプラズマディスプレイパネル駆動時の所定期間に、例えばリセット期間にリセットパルス、アドレス期間にスキャンパルス、サステイン期間にサステインパルスのような駆動パルスをプラズマディスプレイパネルの電極に供給して画像を具現するようになるのである。このようなプラズマディスプレイ装置は薄く軽い構成が可能であるので、現在表示装置として脚光を浴びている。
【０００６】
一方、駆動パルスを各電極に供給してプラズマディスプレイ装置を駆動するのにあたって、多数の要因によって駆動の信頼性が低下する場合がある。例えば、電極、駆動部及び電極と駆動部を連結する構成などによる構造的問題と駆動波形などの問題で駆動が不安定になることがある。
【０００７】
特に、高解像度になる程、電極間の干渉が深くなる。例えば、電極のマイグレイション（ｍｉｇｒａｔｉｏｎ）現象が深くなる問題点がある。
【０００８】
このような問題点を考慮して、プラズマディスプレイ装置の駆動の安全性を向上させるための研究が続いている。
【発明の開示】
【発明が解決しようとする課題】
【０００９】
本発明の目的は、駆動の安全性を向上させるためのプラズマディスプレイ装置を提供することにある。
【課題を解決するための手段】
【００１０】
本発明に係るプラズマディスプレイ装置は、互いに平行に配列される複数のデータ電極を含むプラズマディスプレイパネルと、複数のデータ電極に駆動電圧を供給するデータ駆動部と、を含み、データ駆動部は、プラズマディスプレイパネルの一側で複数のデータ電極の一部と電気的に接続された第１連結部と、プラズマディスプレイパネルの他側で複数のデータ電極の一部を除いた残りデータ電極と電気的に接続された第２連結部と、を含むことを特徴とする。
【００１１】
複数のデータ電極の内、第１データ電極は第１連結部と電気的に接続され、複数のデータ電極の内、第１データ電極と隣接する第２データ電極は前記第２連結部と電気的に接続されていることが好ましい。
【００１２】
第１連結部または第２連結部において、複数のデータ電極の内、隣り合うデータ電極間の離隔距離は、プラズマディスプレイパネル上に配列された複数のデータ電極の内、隣り合うデータ電極間の離隔距離より広いことが好ましい。
【００１３】
複数のデータ電極の内、奇数番目のデータ電極は第１連結部と電気的に接続され、複数のデータ電極の内、偶数番目のデータ電極は第２連結部と電気的に接続されることが好ましい。
【００１４】
第１連結部及び第２連結部は、ＦＰＣ（Ｆｌｅｘｉｂｌｅ Ｐｒｉｎｔｅｄ Ｃｉｒｃｕｉｔ）、ＴＣＰ（Ｔａｐｅ Ｃａｒｒｉｅｒ Ｐａｃｋａｇｅ）またはＣＯＦ（Ｃｈｉｐ ｏｎ Ｆｉｌｍ）の内の何れか一つであることが好ましい。
【００１５】
プラズマディスプレイパネルは５０インチ以下であることが好ましい。
【００１６】
本発明に係る他のプラズマディスプレイ装置は、互いに平行に配置される複数のデータ電極及びデータ電極と交差する複数のサステイン電極を含むプラズマディスプレイパネルと、プラズマディスプレイパネルの一側で複数のデータ電極の一部と電気的に接続された第１連結部と、プラズマディスプレイパネルの他側で複数のデータ電極の一部を除いた残りデータ電極と電気的に接続された第２連結部と、を含むデータ駆動部と、サステイン電極に駆動電圧を供給するサステイン駆動部と、を含み、複数のサステイン電極は複数のサステイン電極群に分けられることを特徴とする。
【００１７】
複数のサステイン電極は二つのサステイン電極群に分けられることが好ましい。
【００１８】
複数のデータ電極の内、第１データ電極は第１連結部と電気的に接続され、複数のデータ電極の内、第１データ電極と隣接する第２データ電極は第２連結部と電気的に接続されることが好ましい。
【００１９】
第１連結部または第２連結部において、複数のデータ電極の内、隣り合うデータ電極の間の離隔距離は、プラズマディスプレイパネル上に配列された複数のデータ電極の内、隣り合うデータ電極の間の離隔距離より広いことが好ましい。
【００２０】
複数のデータ電極の内、奇数番目のデータ電極は第１連結部と電気的に接続され、複数のデータ電極の内、偶数番目のデータ電極は第２連結部と電気的に接続されることが好ましい。
【００２１】
第１連結部及び第２連結部は、ＦＰＣ（Ｆｌｅｘｉｂｌｅ Ｐｒｉｎｔｅｄ Ｃｉｒｃｕｉｔ）、ＴＣＰ（Ｔａｐｅ Ｃａｒｒｉｅｒ Ｐａｃｋａｇｅ）またはＣＯＦ（Ｃｈｉｐ ｏｎ Ｆｉｌｍ）の内の何れか一つであることが好ましい。
【００２２】
プラズマディスプレイパネルは５０インチ以下であることが好ましい。
【００２３】
複数のサステイン電極群の内、第１サステイン電極群に対応するスキャン電極がスキャンされる期間中、第１サステイン電極群には第１正極性電圧が印加されて、複数のサステイン電極群の内、第２サステイン電極群には第１正極性電圧レベルより低い第２正極性電圧が印加されることが好ましい。
【００２４】
第２サステイン電極群に対応するスキャン電極は、第１サステイン電極群に対応するスキャン電極よりスキャン順序が後であることが好ましい。
【００２５】
プラズマディスプレイパネルはサステイン電極と平行に配列される複数のスキャン電極をさらに含み、複数のスキャン電極に印加されるセットダウンパルスは、第１電圧レベルから第２電圧レベルに立ち下がる第１セットダウンパルス及び第２電圧レベルから第３電圧レベルに立ち下がる第２セットダウンパルスを含み、複数のスキャン電極を複数のスキャン電極群に分けて、第１スキャン電極群に第１セットダウンパルス及び第２セットダウンパルスを連続して供給して、第１スキャン電極群よりスキャン順序が後である第２スキャン電極群には、第１セットダウンパルス供給後、第２電圧レベルを所定時間維持した後、第２セットダウンパルスを供給することが好ましい。
【００２６】
第１電圧レベルは正の電圧レベルであり、第２電圧レベルはグラウンドレベルであり、第３電圧レベルは負の電圧レベルであることが好ましい。
【００２７】
第１電圧レベルは正の電圧レベルであり、第２電圧レベルは負の電圧レベルであり、第３電圧レベルは負の電圧レベルであることが好ましい。
【発明の効果】
【００２８】
本発明のプラズマディスプレイ装置は、電気的干渉現象を取り除いて、駆動の安全性及び放電の正確度を向上させることができる効果がある。
【発明を実施するための最良の形態】
【００２９】
以下では本発明による具体的な実施形態を図面を参照して説明する。
【００３０】
図１は本発明の一つの実施形態に係るプラズマディスプレイ装置を示す図である。
【００３１】
図１に示されたように、本発明の一つの実施形態に係るプラズマディスプレイ装置は、外部で入力される映像データを映像処理して画像が具現されるプラズマディスプレイパネル２００と、プラズマディスプレイパネル２００に形成された電極に駆動パルスを供給するための駆動部を含む。
【００３２】
駆動部は、例えばデータ電極（Ｘ１乃至Ｘｍ）にデータを供給するためのデータ駆動部と、スキャン電極（Ｙ１乃至Ｙｎ）を駆動するためのスキャン駆動部１２３と、共通電極であるサステイン電極（Ｚ）を駆動するためのサステイン駆動部１２４と、それぞれの駆動部を制御するためのコントロール部１２１と、それぞれの駆動部１２３、１２４に必要な駆動電圧を供給するための駆動電圧発生部１２５を含む。
【００３３】
プラズマディスプレイパネル２００においては、前面基板（図示せず）と背面基板（図示せず）が一定の間隔を置いて合着される。前面基板には、一例として複数の電極、例えば、スキャン電極（Ｙ１乃至Ｙｎ）及びサステイン電極（Ｚ）が対を成して形成されて、背面基板には、スキャン電極（Ｙ１乃至Ｙｎ）及びサステイン電極（Ｚ）と交差するようにデータ電極（Ｘ１乃至Ｘｍ）が形成される。
【００３４】
データ電極（Ｘ１乃至Ｘｍ）は、一般的に知られたデュアルスキャン駆動方法において背面基板上部と下部にそれぞれ対応するようにデータ電極を分けて配置することとは異なり、図１で示すように、背面基板上部から下部まで途切れることなく連続するように配列される。すなわち、図１では、プラズマディスプレイパネル２００の縦方向に一つのデータ電極ライン（Ｘ１）が背面基板上に配列されて、横方向の放電セル数と対応する複数のデータ電極ライン（Ｘ１乃至Ｘｍ）が背面基板上に互いに平行に配列される。
【００３５】
このように配列された複数のデータ電極（Ｘ１乃至Ｘｍ）の内、一部のデータ電極は第１連結部１２２ａを通じてデータ駆動部と電気的に接続され、一部のデータ電極を除いた残りのデータ電極、すなわち、第１連結部１２２ａと接続されないデータ電極は、第２連結部１２２ｂを通じてデータ駆動部と電気的に接続される。第１連結部１２２ａはプラズマディスプレイパネル２００の一側に形成されて、第２連結部１２２ｂはプラズマディスプレイパネル２００一側と対向する他側に形成される。データ駆動部は第１連結部１２２ａ及び第２連結部１２２ｂと電気的に接続されて、すべてのデータ電極（Ｘ１乃至Ｘｍ）に駆動電圧を供給する。ここで、データ駆動部の構成は限定されない。データ駆動部は、例えば、第１連結部１２２ａ及び第２連結部１２２ｂ上に集積回路形態に形成されてそれぞれの集積回路と接続されたデータ電極を駆動することができる。
【００３６】
このように、途切れることなく連続して互いに平行に配列される複数のデータ電極を分けて、分けられたデータ電極とデータ駆動部が接続される位置を異なるようにすることで、電極間の干渉現象を防止することができる。
【００３７】
例えば、複数のデータ電極（Ｘ１乃至Ｘｍ）の内、第１データ電極（Ｘ１）が第１連結部１２２ａと電気的に接続され、複数のデータ電極（Ｘ１乃至Ｘｍ）の内、第１データ電極（Ｘ１）と隣接する第２データ電極（Ｘ２）が第２連結部（１２２ｂ）と電気的に接続されてもよい。
【００３８】
第１連結部１２２ａまたは第２連結部１２２ｂにおいて、複数のデータ電極（Ｘ１乃至Ｘｍ）の内、隣り合うデータ電極間の離隔距離は、プラズマディスプレイパネル２００上に配列された複数のデータ電極の内、隣り合うデータ電極間の離隔距離より広くなり、電極間のマイグレイション問題を防止することができる。
【００３９】
このように、電極間の干渉を減らして駆動の安全性を向上させることだけではなく、正確な駆動電圧の供給により放電の正確性を向上させることができることは勿論である。
【００４０】
また、複数のデータ電極の内、奇数番目のデータ電極（Ｘ１、Ｘ３、Ｘ５、Ｘ７…Ｘｍ＋１）は、第１連結部１２２ａと電気的に接続され、複数のデータ電極の内、偶数番目のデータ電極（Ｘ２、Ｘ４、Ｘ６、Ｘ８…Ｘｍ）は第２連結部１２２ｂと電気的に接続されるので、連結部位において各電極間の間隔を広げて電気的な干渉を防止することができる。奇数番目のデータ電極（Ｘ１、Ｘ３、Ｘ５、Ｘ７…Ｘｍ＋１）を第２連結部１２２ｂと電気的に連結して、偶数番目のデータ電極（Ｘ２、Ｘ４、Ｘ６、Ｘ８…Ｘｍ）を第１連結部１２２ａと電気的に連結してもよい。
【００４１】
また、このような電極の連結構造を５０インチ以下のプラズマディスプレイ装置に適用してもよい。同一解像度のプラズマディスプレイ装置においては、５０インチ以下になる程、電極間隔がさらに小さくなる。したがって、本発明の電極連結構造を適用すれば、図１のＡ領域で起きやすいマイグレイション（ｍｉｇｒａｔｉｏｎ）現象及び干渉問題などを防止して、データ電極の安全性を確保することができる。
【００４２】
第１連結部１２２ａまたは第２連結部１２２ｂは、データ電極とデータ駆動部を連結するＦＰＣ（Ｆｌｅｘｉｂｌｅ Ｐｒｉｎｔｅｄ Ｃｉｒｃｕｉｔ）の形態で形成されてもよく、ＴＣＰ（Ｔａｐｅ Ｃａｒｒｉｅｒ Ｐａｃｋａｇｅ）またはＣＯＦ（Ｃｈｉｐ ｏｎ Ｆｉｌｍ）のようにデータ電極に駆動電圧を供給するための集積回路（ＩＣ）を実装した形態で形成されてもよい。本発明は平行に配列される複数のデータ電極ラインを分けて異なる位置に連結する連結部の構成に特徴があるので、データ駆動部の構成自体は限定されない。
【００４３】
データ駆動部は、図示しない逆ガンマ補正回路、誤差拡散回路等によって逆ガンマ補正及び誤差拡散された後、サブフィールドマッピング回路によってあらかじめ設定されたサブフィールドパターンにマッピングされたデータが供給される。このデータ駆動部は、コントロール部１２１の制御下でデータをサンプリングしてラッチした後、そのデータによってデータパルスの電圧をデータ電極（Ｘ１乃至Ｘｍ）に供給する。
【００４４】
スキャン駆動部１２３は、コントロール部１２１の制御下でリセット期間中にスキャン電極（Ｙ１乃至Ｙｎ）にリセット波形を印加して、全画面に対応する放電セルを初期化する。すなわち、スキャン駆動部１２３はリセット波形をスキャン電極（Ｙ１乃至Ｙｎ）に供給した後、アドレス期間においてスキャン基準電圧（Ｖｓｃ）を供給して、スキャン基準電圧（Ｖｓｃ）で負極性レベルに立ち下がるスキャンパルスの電圧を供給して、スキャン電極ラインをスキャンする。
【００４５】
またスキャン駆動部１２３は、サステイン期間中にアドレス期間において選択されたセルでサステイン放電が発生するようにするサステインパルスをスキャン電極（Ｙ１乃至Ｙｎ）に供給する。
【００４６】
サステイン駆動部１２４は、コントロール部１２１の制御下でサステイン期間中にスキャン駆動部１２３と交互に動作して、サステインパルスをサステイン電極（Ｚ）に供給する。
【００４７】
コントロール部１２１は、垂直/水平同期信号の入力を受けて、各駆動部に必要なタイミング制御信号（ＣＴＲＸ、ＣＴＲＹ、ＣＴＲＺ）を発生して、そのタイミング制御信号（ＣＴＲＸ、ＣＴＲＹ、ＣＴＲＺ）を該当する駆動部１２３、１２４に供給することで、各駆動部１２３、１２４を制御する。データ駆動部に印加されるタイミング制御信号（ＣＴＲＸ）には、データをサンプリングするためのサンプリングクロック、ラッチ制御信号、エネルギー回収回路と駆動スイッチ素子のオン／オフタイムを制御するためのスイッチ制御信号が含まれる。スキャン駆動部１２３に印加されるタイミング制御信号（ＣＴＲＹ）には、スキャン駆動部１２３内のエネルギー回収回路と駆動スイッチ素子のオン／オフタイムを制御するためのスイッチ制御信号が含まれる。サステイン駆動部１２４に印加されるタイミング制御信号(ＣＴＲＺ)には、サステイン駆動部１２４内のエネルギー回収回路と駆動スイッチ素子のオン／オフタイムを制御するためのスイッチ制御信号が含まれる。
【００４８】
駆動電圧発生部１２５は、例えば、サステイン電圧（Ｖｓ）、スキャン基準電圧（Ｖｓｃ）、データ電圧（Ｖａ）、スキャン電圧（−Ｖｙ）などの各駆動部（１２３、１２４）で要する各種駆動電圧を発生する。このような駆動電圧は、放電ガスの組成や放電セル構造によって適宜変更してもよい。
【００４９】
ここで、本発明の理解を助けるために、プラズマディスプレイパネルの構造の一例を詳細に見れば、図２の通りである。
【００５０】
図２は本発明のプラズマディスプレイパネル構造の一例を示す図である。
【００５１】
図２に示されたように、プラズマディスプレイパネルは、例えば、画像がディスプレイされる表示面である前面基板２１１にスキャン電極２１２とサステイン電極２１３が対を成して形成された複数の維持電極対が配列された前面パネル２１０及び背面を成す背面基板（２２１）上に前述の複数の維持電極対と交差するように複数のデータ電極２２３が配列された背面パネル２２０が一定距離を間に置いて平行に結合される。
【００５２】
前面パネル２１０は、例えば、一つの放電セルで相互放電させてセルの発光を維持するためのスキャン電極２１２及びサステイン電極２１３、すなわち透明なＩＴＯ物質で形成された透明電極（２１２ａ、２１３ａ）と金属材質で製作されたバス電極（２１２ｂ、２１３ｂ）を備えたスキャン電極２１２及びサステイン電極２１３が対を成して含まれる。また、スキャン電極２１２及びバス電極２１３を透明電極（２１２ａ、２１３ａ）だけで形成してもよいし、バス電極（２１２ｂ、２１３ｂ）だけで形成してもよい。スキャン電極２１２及びサステイン電極２１３は、放電電流を制限して電極対の間を絶縁する一つ以上の上部誘電体層２１４によって覆われて、上部誘電体層２１４の上面には、放電条件を容易にするために、例えば酸化マグネシウム（ＭｇＯ）を蒸着した保護層２１５が形成される。
【００５３】
背面パネル２２０は、例えば、複数個の放電空間、すなわち、放電セルを区切るためのウェルタイプまたはストライプタイプの隔壁２２２が単位放電セルを区切るように形成される。また、アドレス放電を遂行して真空紫外線を発生させる複数のデータ電極２２３が隔壁２２２に対して平行に配置される。
【００５４】
背面パネル２２０の上側面には、アドレス放電時に画像を表示するための可視光線を放出するＲ、Ｇ、Ｂ蛍光体２２４が塗布される。データ電極２２３と蛍光体２２４の間には、データ電極２２３を保護するための下部誘電体層２２５が形成される。
【００５５】
このように形成された前面パネル２１０と背面パネル２２０がシーリング工程を通じて合着されて、プラズマディスプレイパネルが形成される。そして、このようなプラズマディスプレイパネルには複数の電極、例えばスキャン電極２１２、サステイン電極２１３及びデータ電極２２３などの電極を駆動するための駆動部等が設けられ、プラズマディスプレイ装置を成す。
【００５６】
このような本発明のプラズマディスプレイ装置を駆動する方式に対して詳細に見れば図３の通りである。
【００５７】
図３は本発明のプラズマディスプレイ装置の画像階調を具現する方法の一例を示す図である。
【００５８】
図３に示されたように、プラズマディスプレイパネルに画像を具現させるために本発明のプラズマディスプレイ装置は、１フレームを複数のサブフィールドに分割して駆動する。例えば、各サブフィールドをすべてのセルを初期化させるためのリセット期間、放電するセルを選択するためのアドレス期間及び放電回数によって階調を具現するサステイン期間に分割して駆動する。
【００５９】
例えば、２５６階調で画像を表示しようとする場合、１／６０秒にあたるフレーム期間（１６．６７ｍｓ）は、複数個、例えば、８個のサブフィールド(ＳＦ１ないしＳＦ８)に分割される。８個のサブフィールド（ＳＦ１乃至ＳＦ８）それぞれは、前述のように、リセット期間（ＲＰ）、アドレス期間（ＡＰ）及びサステイン期間（ＳＰ）に分割される。この時、各サブフィールドのリセット期間（ＲＰ）とアドレス期間（ＡＰ）は、各サブフィールドごとに同一であるが、サステイン期間とそれに割り当てられるサステインパルスの数は変更しても良い。例えば、各サブフィールドで２ｎ（ｎ＝０、１、２、３、４、５、６、７）の割合でサステインパルスの数を増加させて階調表現してもよい。
【００６０】
図４は本発明のプラズマディスプレイ装置の駆動方法の一例を示す図である。
【００６１】
図４において、本発明のプラズマディスプレイ装置の駆動波形の第１実施形態が具現する複数のサブフィールド内の１サブフィールド（ＳＦ）での駆動波形を示した。
【００６２】
サブフィールド（ＳＦ）は、全画面の放電セルを初期化するためのリセット期間（ＲＰ）、 放電セルを選択するためのアドレス期間（ＡＰ）及び選択された放電セルの放電を維持させて画像を具現するためのサステイン期間（ＳＰ）に分割される。
【００６３】
リセット期間（ＲＰ）において、セットアップ期間（ＳＵ）ではスキャン電極（Ｙ）ラインに高圧のセットアップパルス（ＰＲ）が同時に印加される。このセットアップパルス（ＰＲ）によって、全画面のセル内には微弱な放電(セットアップ放電)が起きるようになって、セル内に壁電荷が生成される。
【００６４】
セットダウン期間（ＳＤ）には、セットダウンパルス(ＮＲ）がスキャン電極（Ｙ）ラインに同時に印加される。このセットダウンパルス(ＮＲ）は、セル内に微弱な消去放電を起こすことでセットアップ放電によって生成され、過度に蓄積された放電セルの壁電荷を均一にさせる。
【００６５】
一方、セットダウン期間（ＳＤ）及び/またはアドレス期間（ＡＰ）間にサステイン電極（Ｚ）ラインには正極性の電圧が印加されて、スキャン電極（Ｙ）と放電を起こさない程度の電圧を維持する。
【００６６】
アドレス期間（ＡＰ）には、−Ｖｙの電圧を持つスキャンパルス（ＳＣＮＰ）がスキャン電極（Ｙ）ラインに印加されるのと同時に、データ電極（Ｘ）ラインにデータパルス（ＤＰ）が印加される。このスキャンパルス（ＳＣＮＰ）とデータパルス（ＤＰ）の電圧差と、リセット期間（ＲＰ）に生成された璧電圧が加わりながら、データパルス（ＤＰ）が印加されるセル内でアドレス放電が発生する。このような、アドレス放電によって選択されたセル内で壁電荷が生成される。
【００６７】
サステイン期間（ＳＰ）には、スキャン電極（Ｙ）とサステイン電極（Ｚ）に交互にサステインパルス（ＳＵＳＰ）が印加されて、サステイン放電が発生する。
【００６８】
このように本発明のプラズマディスプレイ装置の駆動方法の第１実施形態では、電極間の干渉現象を解決して、駆動電圧を正確に供給することにより、放電の正確性を向上させることができる。したがって、駆動の安全性を向上させることができるのである。
【００６９】
以下、前述した駆動の安全性を向上させることができる本発明のプラズマディスプレイ装置の駆動方法の実施形態をさらに詳述する。
【００７０】
図５は本発明の他の実施形態に係るプラズマディスプレイ装置を示す図である。
【００７１】
図５に示されたように、本発明の他の実施形態に係るプラズマディスプレイ装置は、外部で入力される映像データを映像処理して画像が具現されるプラズマディスプレイパネル２００と、プラズマディスプレイパネル２００に形成された電極に駆動パルスを供給するための駆動部を含む。
【００７２】
駆動部は、例えば、データ電極（Ｘ１乃至Ｘｍ）にデータを供給するためのデータ駆動部と、スキャン電極（Ｙ１乃至Ｙｎ）を駆動するためのスキャン駆動部５２３と、サステイン電極（Ｚ）を駆動するためのサステイン駆動部５２４と、それぞれの駆動部を制御するためのコントロール部５２１と、それぞれの駆動部（５２３、５２４）に必要な駆動電圧を供給するための駆動電圧発生部５２５と、を含む。
【００７３】
プラズマディスプレイパネル２００は、前面基板（図示せず）と背面基板（図示せず）が一定の間隔を置いて合着される。前面基板には、一例としては、複数の電極、例えば、スキャン電極（Ｙ１乃至Ｙｎ）及びサステイン電極（Ｚ）が対を成して形成されて、背面基板には、スキャン電極（Ｙ１乃至Ｙｎ）及びサステイン電極（Ｚ）と交差するようにデータ電極（Ｘ１乃至Ｘｍ）が形成される。
【００７４】
データ電極（Ｘ１乃至Ｘｍ）は、一般的に知られたデュアルスキャン駆動方法において背面基板上部と下部にそれぞれ対応するようにデータ電極を分けて配置することとは異なり、図５のように背面基板上部から下部まで途切れることなく連続するように配列される。すなわち、図５では、プラズマディスプレイパネル２００の縦方向に一つのデータ電極ライン（Ｘ１）が背面基板上に配列されて、横方向の放電セル数と対応する複数のデータ電極ライン（Ｘ１乃至Ｘｍ）が背面基板上に互いに平行に配列される。
【００７５】
このように配列された複数のデータ電極（Ｘ１乃至Ｘｍ）の内、一部のデータ電極は第１連結部５２２ａを通じてデータ駆動部と電気的に接続され、一部のデータ電極を除いた残りのデータ電極、すなわち、第１連結部５２２ａと接続されないデータ電極は、第２連結部５２２ｂを通じてデータ駆動部と電気的に接続される。第１連結部５２２ａはプラズマディスプレイパネル２００の一側に形成されて、第２連結部５２２ｂはプラズマディスプレイパネル２００の一側と対向する他側に形成される。データ駆動部は第１連結部５２２ａ及び第２連結部５２２ｂと電気的に接続されて、すべてのデータ電極（Ｘ１乃至Ｘｍ）に駆動電圧を供給する。ここで、データ駆動部の構成は限定されない。データ駆動部は、例えば、第１連結部５２２ａ及び第２連結部５２２ｂ上に集積回路形態に形成されてそれぞれの集積回路と接続されたデータ電極を駆動することができる。
【００７６】
このように、途切れることなく連続して互いに平行に配列される複数のデータ電極を分けて、分けられたデータ電極とデータ駆動部が接続される位置を異なるようにすることで、電極間の干渉現象を防止することができる。
【００７７】
本発明の他の実施形態に係るプラズマディスプレイ装置では、複数のサステイン電極（Ｚ）は複数のサステイン電極群に分けられる。例えば、複数のサステイン電極（Ｚ）を二つのサステイン電極群（Ｚａ、Ｚｂ）に分けて、各サステイン電極群に印加される電圧を異なるように調節して、放電の正確性をより向上させることができる。
【００７８】
複数のデータ電極（Ｘ１乃至Ｘｍ）の内、第１データ電極（Ｘ１）が第１連結部５２２ａと電気的に接続され、複数のデータ電極（Ｘ１乃至Ｘｍ）の内、第１データ電極（Ｘ１）と隣接する第２データ電極（Ｘ２）が第２連結部５２２ｂと電気的に接続されてもよい。
【００７９】
第１連結部５２２ａまたは第２連結部５２２ｂにおいて、複数のデータ電極（Ｘ１乃至Ｘｍ）の内、隣り合うデータ電極間の離隔距離は、プラズマディスプレイパネル２００上に配列された複数のデータ電極の内、隣り合うデータ電極間の離隔距離より広くなり、電極間のマイグレイション問題を防止することができる。
【００８０】
このように、電極間の干渉を減らして駆動の安全性を向上させることだけではなく、正確な駆動電圧の供給により放電の正確性を向上させることができることは勿論である。
【００８１】
また、複数のデータ電極の内、奇数番目のデータ電極（Ｘ１、Ｘ３、Ｘ５、Ｘ７…Ｘｍ＋１）は、第１連結部５２２ａと電気的に接続され、複数のデータ電極の内、偶数番目のデータ電極（Ｘ２、Ｘ４、Ｘ６、Ｘ８…Ｘｍ）は、第２連結部５２２ｂと電気的に接続されるので、電極と駆動部の連結部位における各電極間の間隔を広げて電気的な干渉を防止することができる。奇数番目のデータ電極（Ｘ１、Ｘ３、Ｘ５、Ｘ７…Ｘｍ＋１）を第２連結部５２２ｂと電気的に連結して、偶数番目のデータ電極（Ｘ２、Ｘ４、Ｘ６、Ｘ８…Ｘｍ）を第１連結部５２２ａと電気的に連結してもよい。
【００８２】
また、このような電極の連結構造を５０インチ以下のプラズマディスプレイ装置に適用してもよい。同一解像度のプラズマディスプレイ装置においては、５０インチ以下になる程、電極間隔がさらに小さくなる。したがって、本発明の電極連結構造を適用すれば、マイグレイション（ｍｉｇｒａｔｉｏｎ）現象及び干渉問題などを防止して、データ電極の安全性を確保することができる。
【００８３】
第１連結部５２２ａまたは第２連結部５２２ｂは、データ電極とデータ駆動部を連結するＦＰＣ（Ｆｌｅｘｉｂｌｅ Ｐｒｉｎｔｅｄ Ｃｉｒｃｕｉｔ）の形態で形成されてもよく、ＴＣＰ（Ｔａｐｅ Ｃａｒｒｉｅｒ Ｐａｃｋａｇｅ）またはＣＯＦ（Ｃｈｉｐ ｏｎ Ｆｉｌｍ）のようにデータ電極に駆動電圧を供給するための集積回路（ＩＣ）を実装した形態で形成されてもよい。本発明は平行に配列される複数のデータ電極ラインを分けて異なる位置に連結する連結部の構成に特徴があるので、データ駆動部の構成自体は限定されない。
【００８４】
データ駆動部、スキャン駆動部５２３、サステイン駆動部５２４、コントロール部５２１及び駆動電圧発生部５２５に対する説明は図１で前述したので、ここでは略する事にする。ただし、データ駆動部、スキャン駆動部５２３及びサステイン駆動部５２４の構成は図１に図示した構成に限定されないことを明らかにしておく。
【００８５】
図６Ａ及び図６Ｂは本発明のプラズマディスプレイ装置の駆動方法の他の例及びそれによる壁電荷状態を示す図である。
【００８６】
図６Ａにおいて、本発明のプラズマディスプレイ装置の駆動方法の他の例が具現する複数のサブフィールドの内、１サブフィールド（ＳＦ）での駆動波形を示した。
【００８７】
サブフィールド（ＳＦ）は、全画面の放電セルを初期化するためのリセット期間（ＲＰ）、放電セルを選択するためのアドレス期間（ＡＰ）及び選択された放電セルの放電を維持させて画像を具現するためのサステイン期間(ＳＰ)に分割される。
【００８８】
上記期間による駆動波形は図４で前述したので略する事にする。ただし、本発明の駆動波形は、図４に示された実施形態に限定されないことを明らかにしておく。
【００８９】
本発明のプラズマディスプレイ装置の駆動方法の他の例は、サステイン電極を複数のサステイン電極群に分けることにより、アドレス期間に印加される正極性電圧を調節することができる。例えば、前述の図５のように、スキャン順にサステイン電極群を前半部のＺａサステイン電極群と、後半部のＺｂサステイン電極群に分けて、各サステイン電極群に印加される正極性電圧を調節して駆動条件を最適化することができる。
【００９０】
例えば、アドレス期間にＺａサステイン電極群とＺｂサステイン電極群に印加される正極性電圧が図６Ａのレベルを持つようにできる。複数のサステイン電極群の内、第１サステイン電極群（Ｚａ）に対応するスキャン電極がスキャンされる期間（Ｃ）中に、第１サステイン電極群（Ｚａ）には第１正極性電圧（Ｖｚ１）を印加して、複数のサステイン電極群の内、第２サステイン電極群（Ｚｂ）には第１正極性電圧レベル（Ｖｚ１）より低い第２正極性電圧（Ｖｚ２）を印加する。これにより、アドレス期間後半部で第１サステイン電極群に対応するスキャン電極よりスキャン順序が後の第２サステイン電極群（Ｚｂ）に対応するスキャン電極がスキャンされることで発生するアドレス放電をより正確に発生させることができる。
【００９１】
このようにスキャン順序によってサステイン電極に印加される正極性電圧を調節して、アドレス期間ですべての放電セルがアドレス放電を均一に発生させるようにする効果がある。このように放電の正確性を向上させて、駆動の安全性をさらに向上させることができる。
【００９２】
また、本発明のプラズマディスプレイ装置の駆動方法の他の例では、複数のサステイン電極をサステイン電極群に分け、これに対応してスキャン電極をスキャン電極群に分けることにより、各スキャン電極群に印加されるセットダウンパルスの供給時間を調節することができる。セットダウンパルスは、第１電圧レベルから第２電圧レベルに立ち下がる第１セットダウンパルスと、第２電圧レベルから第３電圧レベルに立ち下がる第２セットダウンパルスに分けて供給してもよい。
【００９３】
例えば、複数のスキャン電極群の内、第１スキャン電極群（ＹＴ）に第１セットダウンパルス（ＮＲ１）及び第２セットダウンパルス（ＮＲ２）を連続して一つのパルスで供給して、第１スキャン電極群（ＹＴ）よりスキャン順序が後の第２スキャン電極群（ＹＢ）には正の電圧レベルからグラウンドレベルまで立ち下がる第１セットダウンパルス(ＮＲ１)を供給した後、グラウンド電圧レベルを所定時間維持し、その後、負の電圧レベルまで立ち下がる第２セットダウンパルス（ＮＲ２)を供給してもよい。これにより、アドレス期間後半部にスキャンされるスキャン電極にセットダウンパルスをさらに後の時点で供給することができる。これは、リセット期間の後に消滅する壁電荷によってアドレス放電が不安定になることを補償するためである。すなわち、複数のスキャン電極に印加されるセットダウンパルスの供給時間をスキャン順序によって調節して、壁電荷が消失することを防止することができるのである。
【００９４】
このようにアドレス期間でアドレス放電が起きる順序、すなわち、スキャン順序によってスキャン電極（Ｙ）に印加されるセットダウンパルスを調節して、すべての放電セルがアドレス放電を均一に発生させるようにする効果がある。
【００９５】
以上で説明した駆動波形による放電セルの内壁電荷状態を説明すれば図６Ｂの通りである。
【００９６】
図６Ｂは図６Ａの駆動波形による壁電荷状態を示す図である。
【００９７】
先ず、図６Ｂの（ａ）はセットアップ放電によって放電セル内に壁電荷が充分に蓄積されることを示す。
【００９８】
以後、（ｂ）のようにセットダウン放電によって過度に蓄積された壁電荷を均一にする。 ここで、第１スキャン電極群（ＹＴ）よりスキャン順序が後の第２スキャン電極群（ＹＢ）に第１電圧レベルで第２電圧レベルまで漸進的に立ち下がる第１セットダウンパルス（ＮＲ１）を印加した後、第２電圧レベルを維持させる。すなわち、セットダウンパルスの最低電圧レベルより高い電圧レベルで一定時間維持して、過度に形成された壁電荷が充分に減少していない状態で待機することにより、壁電荷消失を防止することができる。
【００９９】
以後、（ｃ）区間では、第１スキャン電極群（ＹＴ）がスキャンされることでアドレス放電が図６Ｂのように発生して、壁電荷状態が反転したことが分かる。第２スキャン電極群（ＹＢ）は（ｃ）区間まで第２電圧レベル、例えば、図６Ａのようにグラウンド電圧レベルを維持している途中でアドレス放電が起きる前、すなわち、アドレス期間前半部で第１スキャン電極群（ＹＴ）がすべてスキャンされた後、アドレス期間後半部である（ｂ’）区間に第２電圧レベルから第３電圧レベルまで漸進的に立ち下がる第２セットダウンパルスを印加してセットダウンパルスの供給を完成することができる。
【０１００】
また、（ｃ）区間では、第１サステイン電極群（Ｚａ）には同一である第１正極性電圧（Ｖｚ１）を継続印加して、第１サステイン電極群（Ｚａ）に対応するスキャン電極、例えば、第１スキャン電極群（ＹＴ）よりスキャン順序が後の第２スキャン電極群（ＹＢ）に対応する第２サステイン電極群（Ｚｂ）には、図６Ａのように第１正極性電圧（Ｖｚ１）が供給されている途中、第１サステイン電極群（Ｚａ）に対応する第１スキャン電極群（ＹＴ）がスキャンされる期間の間、第１正極性電圧（Ｖｚ１）より低い第２正極性電圧（Ｖｚ２）を印加することにより、壁電荷消失を最小化することができる。これによって、（ｃ）区間では第１サステイン電極群（Ｚａ）の放電セルにアドレス放電が発生して、第２サステイン電極群（Ｚｂ）の放電セルは壁電荷を維持するようになる。
【０１０１】
以後、（ｄ）区間では、第２サステイン電極群（Ｚｂ）に対応するスキャン電極がスキャンされてアドレス放電が起きる。この区間では、先にスキャンされたスキャン電極に対応する第１サステイン電極群（Ｚａ）には同一である第１正極性電圧（Ｖｚ１）を継続印加する。そして、スキャン順序が後半部である第２サステイン電極群（Ｚｂ）には、図６Ａのように（ｃ）に印加された第２正極性電圧（Ｖｚ２）より高い第１正極性電圧（Ｖｚ１）を印加して、アドレス放電を容易に発生することができるようにする。
【０１０２】
このように、アドレス期間の後半部である（ｄ）区間では、従来は壁電荷消失によって誤放電が発生する等、アドレス放電を十分に発生させることができなかったが、本発明の実施形態によれば、スキャン順序を考慮してサステイン電極に印加される正極性電圧またはスキャン電極に印加されるセットダウンパルスを調節することにより、壁電荷消失を最小化させることができるので、図６Ｂの（ｄ）のように放電を確実に発生させることで放電の正確性を向上させることができる。これにより、本発明は駆動の安全性を確保することができる。
【０１０３】
このように本発明は壁電荷が消失することを防止して、駆動の正確性を向上させている。例えば、高解像度または高温環境でのプラズマディスプレイ装置は、アドレス期間が長くなるほど放電セル内の壁電荷が消失しやすいのであるが、このために本発明では駆動電圧を変更せずに供給時間を調節することで、より正確な放電が起きるようにするのである。また、電極間の干渉現象を防止して駆動電圧の供給をより確実にすることにより駆動電圧の供給時間を調節して、駆動の信頼性を向上させることができるのである。
【０１０４】
図７は本発明のプラズマディスプレイ装置の駆動方法の他の例を示す図である。
【０１０５】
図７においては、本発明のプラズマディスプレイ装置の駆動方法のまた他の例が具現する複数のサブフィールドの内一サブフィールド（ＳＦ）での駆動波形を示す。
【０１０６】
サブフィールド（ＳＦ）は全画面の放電セルを初期化するためのリセット期間（ＲＰ)、放電セルを選択するためのアドレス期間（ＡＰ）及び選択された放電セルの放電を維持させて画像を具現するためのサステイン期間（ＳＰ）に分けられる。
【０１０７】
上記の期間による駆動波形は図６Ａのプラズマディスプレイ装置の駆動方法の他の例で前述したので略する。
【０１０８】
本発明のプラズマディスプレイ装置の駆動波形の他の例は、図６Ａの実施形態とは異なり、第１スキャン電極群（ＹＴ）よりスキャン順序が後の第２スキャン電極群（ＹＢ）に印加されるセットダウンパルスが異なるように調節する。
【０１０９】
例えば、本発明のプラズマディスプレイ装置の駆動方法の他の例では、複数のサステイン電極をサステイン電極群に分け、これに対応して、スキャン電極をスキャン電極群に分けることにより、各スキャン電極群に印加されるセットダウンパルスの供給時間を調節することができる。
【０１１０】
複数のスキャン電極群の内、第１スキャン電極群（ＹＴ）に第１電圧レベル、すなわち、正の電圧レベルから第２電圧レベル、すなわち、負の電圧レベルまで立ち下がる第１セットダウンパルス（ＮＲ１）及び負の電圧レベルからさらに低い負の電圧レベルまで立ち下がる第２セットダウンパルス（ＮＲ２）を連続して一つのパルスで供給する。そして、第１スキャン電極群（ＹＴ）よりスキャン順序が後の第２スキャン電極群（ＹＢ）には、正の電圧レベルから第２電圧レベルである負の電圧レベルまで立ち下がる第１セットダウンパルス（ＮＲ１）を供給した後、第２電圧レベルを所定時間維持し、さらに低い第３の電圧レベルである負の電圧レベルまで立ち下がる第２セットダウンパルス（ＮＲ２）を供給する。したがって、第２スキャン電極群（ＹＢ）に印加される第２セットダウンパルス（ＮＲ２）の供給時間（ｂ’）を減らすことができ、アドレス時間を短縮することができる効果がある。
【０１１１】
また、アドレス期間後半部にスキャンされるスキャン電極にセットダウンパルスをさらに後の時点で供給することができる。これは、リセット期間の後に消滅する壁電荷によってアドレス放電が不安定になることを補償する。すなわち、複数のスキャン電極に印加されるセットダウンパルスの供給時間をスキャン順序によって調節して壁電荷が消失することを防止することにより、すべての放電セルにアドレス放電が均一に発生するようにできる。
【０１１２】
このように本発明は壁電荷が消失することを防止して、駆動の正確性を向上させている。 また、データ電極の連結関係を調節して電極間の干渉現象を防止することにより、駆動の正確性をさらに向上させることができる。
【図面の簡単な説明】
【０１１３】
【図１】本発明の一つの実施形態に係るプラズマディスプレイ装置を示す図。
【図２】本発明のプラズマディスプレイパネル構造の一例を示す図。
【図３】本発明のプラズマディスプレイパネルの画像階調を具現する方法の一例を示す図。
【図４】本発明のプラズマディスプレイ装置の駆動方法の一例を示す図。
【図５】本発明の他の実施形態に係るプラズマディスプレイ装置を示す図。
【図６Ａ】本発明のプラズマディスプレイ装置の駆動方法の他の例及びそれによる壁電荷状態を示す図。
【図６Ｂ】本発明のプラズマディスプレイ装置の駆動方法の他の例及びそれによる壁電荷状態を示す図。
【図７】本発明のプラズマディスプレイ装置の駆動方法の他の例を示す図。
【図１】
2007328348.tif 000003
【図２】
2007328348.tif 000004
【図３】
2007328348.tif 000005
【図４】
2007328348.tif 000006
【図５】
2007328348.tif 000007
【図６Ａ】
2007328348.tif 000008
【図６Ｂ】
2007328348.tif 000009
【図７】
2007328348.tif 000010